(57)【要約】【課題】小型化が可能であるとともに、給電ケーブルとリード線とを接続するコネクタに使用者の手が触れないようにすることができる照明装置を提供することを課題とする。【解決手段】照明装置１０は、上面に放熱板５２が形成され、下面に光源モジュール４２が配置されると共に、下面から上面に貫通し、リード線７０用の貫通孔５４が形成された板部５１を有する灯体３０と、貫通孔５４の上下方向において重ならないように天板６１に形成された挿通部６４を有し、灯体３０に設けることでリード線７０を放熱板５２の立設方向にむけて収容するカバー部材６０と有する。【選択図】      図２
2020053366.tif 000002
【特許請求の範囲】
【請求項１】
上面に放熱板が形成され、下面に光源が配置されると共に、前記下面から上面に貫通し、リード線用の貫通孔が形成された板部を有する灯体と；
前記貫通孔の上下方向において重ならないように天板に形成された挿通部を有し、前記灯体に設けることで前記リード線を前記放熱板の立設方向にむけて収容するカバー部材と；
を有する照明装置。
【請求項２】
前記灯体と前記カバー部材により形成された収容空間内には、前記光源に電力を供給するリード線と外部電源からの給電用ケーブルを接続する接続部を収容している
請求項１の照明装置。
【請求項３】
前記挿通部は、前記カバー部材の天板から側壁側に延設されている
請求項１の照明装置。
【請求項４】
前記灯体は、被取付部に固定する固定部材に回動支持部材を介して支持され、
前記回動支持部材は、前記固定部材及び前記灯体の一方に固定され、前記固定部材及び前記灯体の他方に回動軸を介して回動可能に取り付けられ、前記灯体を前記固定部材に対して前記回動軸を中心に回動可能に支持し、前記放熱板側を上側に傾ける回動位置への回動を可能とする構造である
請求項１の照明装置。
【発明の詳細な説明】
【技術分野】
【０００１】
本発明の実施形態は、例えば、建物の天井に取り付けるダウンライトなどの照明装置に関する。
【背景技術】
【０００２】
従来、建物の天井に取り付ける照明システムとして、天井に設けた取付孔に埋設するダウンライトが知られている。ダウンライトは、例えば、光源を備えた照明装置と、照明装置に連結した電源装置と、を有する。この種のダウンライトを天井の取付孔に取り付ける場合、天井裏に配線した給電ケーブルを取付孔から引き出して電源装置に接続し、取付孔を介して電源装置を給電ケーブルごと天井裏に押し込んで、電源装置に連結した照明装置を取付孔に固定する。
【０００３】
給電ケーブルはやや大径であり、また、施工上の都合により、照明装置内部に通すことができない。したがって、給電ケーブルを小径のリード線にコネクタを用いて変換して、照明装置内部に通すようにしている。コネクタは、脱落防止・品質維持等のため使用者の手に触れることは好ましくない。このため、照明装置の上部に設けられた放熱板等の隙間に押し込む等の措置を講じていた。
【先行技術文献】
【特許文献】
【０００４】
【特許文献１】特開平７−８５７１８号公報
【発明の概要】
【発明が解決しようとする課題】
【０００５】
近年、天井の取付孔を小さくして、ダウンライトを小型化する要求が高まりつつある。例えば、上述した従来のダウンライトを小型化しようとした場合、放熱板も小型となる。
【０００６】
しかし、放熱板が小型になると、放熱板の隙間にコネクタを収容する余地が無くなり、コネクタを照明装置の外部に設けざるを得ず、使用者の手に触れないようにするための追加部品が必要になり、コスト高になる虞もあった。
【０００７】
よって、小型化が可能であるとともに、給電ケーブルとリード線とを接続するコネクタに使用者の手が触れないようにすることができる照明装置の開発が望まれている。
【課題を解決するための手段】
【０００８】
実施形態に係る照明装置は、上面に放熱板が形成され、下面に光源が配置されると共に、前記下面から上面に貫通し、リード線用の貫通孔が形成された板部を有する灯体と、前記貫通孔の上下方向において重ならないように天板に形成された挿通部を有し、前記灯体に設けることで前記リード線を前記放熱板の立設方向にむけて収容するカバー部材とを有する。
【発明の効果】
【０００９】
実施形態によると、小型化が可能であるとともに、給電ケーブルとリード線とを接続するコネクタに使用者の手が触れないようにすることができる照明装置を提供することができる。
【図面の簡単な説明】
【００１０】
【図１】図１は、実施形態に係る照明装置を示す斜視図である。
【図２】図２は、図１の照明装置の灯体上部を示す分解斜視図である。
【図３】図３は、図１の照明装置の灯体上部の変形例を示す分解斜視図である。
【発明を実施するための形態】
【００１１】
照明装置１０は、上面に放熱板５２が形成され、下面に光源モジュール４２が配置されると共に、前記下面から上面に貫通し、リード線７０用の貫通孔５４が形成された板部５１を有する灯体３０と、貫通孔５４の上下方向において重ならないように天板６１に形成された挿通部６４を有し、灯体３０に設けることでリード線７０を放熱板５２の立設方向にむけて収容するカバー部材６０と有する。
【００１２】
以下、図面を参照しながら実施形態について詳細に説明する。  
図１に示すように、実施形態に係る照明装置１０は、枠体２０（固定部材）と、灯体３０と、回動支持部材２５と、灯体３０の後述する光源モジュール４２と接続した電源装置１００を有する。本実施形態の照明装置１０は、例えば、建物の天井の取付孔Ｔ（被取付部）に設けた取り付け可能なユニバーサルダウンライトである。
【００１３】
枠体２０は、天井の取付孔Ｔに固定する略円筒形の取付枠２１を有している。取付枠２１は、天井の取付孔Ｔよりわずかに小さい外径を有する。取付枠２１は、天井に固定するための３枚の固定バネ２２を備えている。取付枠２１は、３枚の固定バネ２２を取付枠２１側に変形させた上で取付孔Ｔに押しこみ、取付孔Ｔ内部で固定バネ２２がその弾性力によって拡がることで取付孔Ｔ内に固定される。
【００１４】
図１に示すように、回動支持部材２５は、灯体３０に固定され、枠体２０に回動軸Ｓを介して回動可能に取り付けられ、灯体３０を枠体２０に対して回動軸Ｓを中心に回動可能に支持している。
【００１５】
灯体３０は、開口部を下方に向けた筒状の灯体本体４０と、この灯体本体４０の上側に一体的に形成された灯体上部５０を有している。灯体本体４０の外径は上述した取付枠２１とほぼ同じ寸法に形成されている。
【００１６】
灯体本体４０内には後述する板部５１側に配置された光源モジュール４２、及び、この光源モジュール４２に対し枠体２０側に配置されたレンズユニット４３が収容されている。光源モジュール４２は、ＬＥＤ（light emitting diode）等の半導体発光素子を含む光源や、この光源を搭載する基板、リード線７０との接続部等を有している。光源モジュール４２から出射された光は、レンズユニット４３を介して外部へ照射される。
【００１７】
灯体上部５０には、円板状の板部５１と、この板部５１の上面に一体に形成されると共に、光源モジュール４２と板部５１を隔てて配置された放熱板５２と、この放熱板５２に隣接配置され、凹部状に設けられたコネクタ配置部５３と、このコネクタ配置部５３を着脱自在に覆うカバー部材６０が設けられている。
【００１８】
図２に示すように、コネクタ配置部５３の放熱板５２側の壁面には、ネジ孔５３ａ，５３ａが形成されている。また、コネクタ配置部５３の板部５１には、後述するリード線７０用の貫通孔５４の上側開口が設けられている。
【００１９】
カバー部材６０は、板部５１に対してコネクタ配置部５３を挟んで対向配置された天板６１及びこの天板６１に交差して形成された側壁６２を有している。側壁６２の下端には板部５１に当接する鍔部６３が形成されている。板部５１、コネクタ配置部５３、及び、カバー部材６０に囲まれた空間が後述するコネクタ８０を収容する収容空間Ｍとなる。
【００２０】
天板６１には、小孔６１ａ及びコネクタ配置部５３と電源装置１００とを連通する給電ケーブル９０用の挿通部６４が形成されている。挿通部６４は孔状である。小孔６１ａはコネクタ配置部５３のネジ孔５３ａに対応している。側壁６２には、給電ケーブル９０接続後に給電ケーブル９０の振れを防止するための結束バンド（不図示）を留めるためのバンド孔６２ａが形成されている。
【００２１】
収容空間Ｍには、光源モジュール４２に接続され、電力を供給するリード線７０の端部と、このリード線７０の端部に接続されたコネクタ８０と、このコネクタ８０を介してリード線７０の端部に接続された給電ケーブル９０の端部が収容されている。
【００２２】
図１に示すように、電源装置１００は、天井等へ固定するためのブラケット１１０を有している。ブラケット１１０には、ケース１２０が取り付けられ、蓋部１３０によってカバーされている。また、ケース１２０には回路基板１２１が収容されている。回路基板１２１には、コネクタ１４０を介してＡＣケーブル１５０が接続されている。
【００２３】
以下、本実施形態に係る照明装置１０におけるコネクタ配置部５３及びカバー部材６０の作用について、図１及び図２を参照して説明する。なお、照明装置１０の組立工程と、設置工程とを分けて説明する。
【００２４】
照明装置１０の組立工程は、最初に灯体３０内部に光源モジュール４２、レンズユニット４３を取り付ける。次に灯体３０に回動支持部材２５を介して枠体２０を取り付ける。
【００２５】
次に、照明装置１０の光源モジュール４２に基端側が接続されたリード線７０の先端側を貫通孔５４からコネクタ配置部５３側に引き出す。リード線７０の先端側にコネクタ８０を取り付ける。次に給電ケーブル９０の一端側をカバー部材６０の挿通部６４に通す。そして、給電ケーブル９０の先端側にコネクタ８０を取り付け、リード線７０と給電ケーブル９０を導通させる。
【００２６】
そして、カバー部材６０をコネクタ配置部５３の開口部に位置決めし、ビス６５をカバー部材６０の小孔６１ａを介してネジ孔５３ａに取り付け、組立を完了する。
【００２７】
照明装置１０の設置工程は、最初に、給電ケーブル９０の端部を電源装置１００に接続する。取付孔Ｔから引き出したＡＣケーブル１５０を電源装置１００のコネクタ１４０に接続する。そして、電源装置１００を給電ケーブル９０とともに取付孔Ｔに押し込む。さらに、枠体２０及び灯体３０を持って固定バネ２２を取付枠２１側に変形させた上で取付孔Ｔに押しこみ、枠体２０を取付孔Ｔに固定する。
【００２８】
最後に、枠体２０に対して灯体３０を回動支持部材２５によって回動させて、所望の角度位置で留める。このとき、放熱板５２がコネクタ配置部５３より上方に位置する状態とする。この状態であれば、光源モジュール４２で生じた熱は板部５１を介して放熱板５２に伝達されるが、その際、暖められた空気は上方に抜けるため、コネクタ配置部５３によって空気の通流を阻害されることはない。また、傾けない場合であっても、放熱板５２とコネクタ配置部５３は同じ高さに位置する状態となることから、空気の通流を確保することができる。
【００２９】
以上のように、本実施形態によると、リード線７０と給電ケーブル９０とを接続するコネクタ８０は、灯体３０とカバー部材６０との間の収容空間Ｍに収容されることになるため、ビス６５を外し、カバー部材６０を取り外さない限り、コネクタ８０が露出することがない。すなわち、使用者が照明装置１０の運搬作業中や設置作業中に、不用意にコネクタ８０に触れることを防止することができる。よって、使用者がコネクタ８０に触れることがないので、脱落防止・品質維持が可能であり、照明装置１０としての信頼性が向上する。
＜変形例＞
図３は照明装置１０の上部の変形例を示す分解斜視図である。図３においては、図１及び図２と同一機能部分には同一符号を付し、その詳細な説明は省略している。本変形例においては、貫通孔５４の代わりに貫通孔５４Ａを、カバー部材６０の挿通部６４の代わりにカバー部材６０Ａの挿通部６６を設けている。
【００３０】
貫通孔５４Ａと挿通部６６の位置がコネクタ配置部５３を挟んで対角線上に形成されている。また、挿通部６６が側壁６２側まで延設されている。
【００３１】
本変形例においては、貫通孔５４Ａと挿通部６６の位置を、コネクタ配置部５３を形成する空間の対角線上に配置することで、貫通孔５４Ａと挿通部６６との間を長く取ることができる。したがって、リード線７０と給電ケーブル９０とを湾曲させた状態でコネクタ８０を介して接続することができる。また、塵埃や固形物が灯体３０側に侵入しづらくなる。小形の灯体３０でもリード線７０や給電ケーブル９０を屈曲させられる空間を確保できる。
【００３２】
挿通部６６が側壁６２側まで延設されているため、設置作業時（図３中二点鎖線Ｐ）と設置後（図３中破線Ｑ）とで照明装置１０と電源装置１００との相対位置が異なる場合において、給電ケーブル９０の取り回しの自由度が増える。このため、給電ケーブル９０の曲げ角度を緩和したり、無理な力が加わったりすることを防止できる。本変形例においては、上述したようにコネクタ８０に使用者が触れることを防止することができると共に、設置位置の自由度や設置作業の容易性が向上する。
【００３３】
以上、本発明の実施形態を説明したが、上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態は、発明の範囲や要旨に含まれるとともに、特許請求の範囲に記載された発明とその均等の範囲に含まれる。
【００３４】
例えば、上述した実施形態では、電源装置１００を介して照明装置１０に給電したが、電源装置１００が不要のタイプのものであってもよい。また、放熱板５２の形成方向は、コネクタ配置部５３の壁面と垂直に設けられているが、平行に配置されるものであってもよい。また、挿通部は孔状としたが、切欠であってもよい。コネクタ配置部５３は凹部状に設けたが、平面状であっても良い。
【符号の説明】
【００３５】
１０…照明装置、２０…枠体、２２…固定バネ、２５…回動支持部材、３０…灯体、４０…灯体本体、４２…光源モジュール、４３…レンズユニット、５０…灯体上部、５１…板部、５２…放熱板、５３…コネクタ配置部、５４，５４Ａ…貫通孔、６０…カバー部材、６４，６６…挿通部、７０…リード線、８０…コネクタ、９０…給電ケーブル、１００…電源装置、Ｍ…収容空間。
【図１】
2020053366.tif 000003
【図２】
2020053366.tif 000004
【図３】
2020053366.tif 000005